(57)【要約】【課題】吊り下げ長さを自由に調節することのできる携帯用ハンガーを提供する。【解決手段】衣類を支持する支持部材とそれを懸吊する懸吊ベルトと２個のスプリングフックとから構成する。支持部材は径が段階的に大きくなる複数の短パイプをスライド可能に順次大径のパイプに挿入して伸縮可能とし、隣り合うパイプの伸長端には伸縮を解除可能にロックするロック機構を設ける。懸吊ベルトは支持部材の両端間に長さ調節用金具を使用して長さ可変に張り渡す。各スプリングフックは基部に懸吊ベルトを通す環状部を設け、該環状部に懸吊ベルトを通して懸吊ベルトに沿って摺動可能に取り付ける。【選択図】図１
0003149906.tif 000002
【実用新案登録請求の範囲】
【請求項１】
背広、その他の衣類を掛けて携行するために使用する携帯用ハンガーであって、
前記衣類を支持する支持部材と該支持部材を懸吊する懸吊ベルトと２個のスプリングフックとから構成され、
前記支持部材は径が段階的に大きくなる複数の短パイプをスライド可能に順次大径のパイプに挿入して伸縮可能に形成され、隣り合うパイプの伸長端には伸縮を解除可能にロックするロック機構が設けてあり、
前記懸吊ベルトは前記支持部材の両端間に長さ調節用金具を使用して長さ可変に張り渡してあり、
前記各スプリングフックは基部に前記懸吊ベルトを通す環状部を設けて該環状部に懸吊ベルトを通して懸吊ベルトに沿って摺動可能に取り付けてあることを特徴とする携帯用ハンガー。
【請求項２】
背広、その他の衣類を掛けて携行するために使用する携帯用ハンガーであって、
前記衣類を支持する支持部材と該支持部材の両端に取り付けた２式のスプリングフック付き懸吊ベルトとから構成され、
前記支持部材は径が段階的に大きくなる複数の短パイプをスライド可能に順次大径のパイプに挿入して伸縮可能に形成され、隣り合うパイプの伸長端には伸縮を解除可能にロックするロック機構が設けてあり、
前記スプリングフック付き懸吊ベルトは、一端が前記支持部材の端に止着され、他端側はスプリングフックの基部に設けた環状部に引き通して折り返し、長さ調節用金具にてベルト長さ可変に懸吊ベルトに止着してあることを特徴とする携帯用ハンガー。
【請求項３】
請求項２に記載の携帯用ハンガーにおいて、前記懸吊ベルトに代えて紐を用い、前記長さ調節用金具に代えてコードストッパーを用いたことを特徴とする携帯用ハンガー。
【請求項４】
請求項１乃至３の何れかに記載の携帯用ハンガーにおいて、前記伸縮可能な支持部材に代えて一定長さの剛性のある棒材又はパイプ材を使用したことを特徴とする携帯用ハンガー。
【請求項５】
請求項４に記載の携帯用ハンガーにおいて、前記棒材又はパイプ材として屈曲可能な柔軟材を使用したことを特徴とする携帯用ハンガー。
【請求項６】
請求項１乃至３の何れかに記載の携帯用ハンガーにおいて、前記伸縮可能な支持部材に代えて一定長さの屈曲可能な柔軟材製のパイプ材と該パイプ材に略等しい長さでパイプ材の中空孔に挿通可能な剛性のある棒材とからなる支持機構を採用し、該支持機構に剛性が求められる場合には前記棒材を前記パイプ材の中空孔に挿通した状態で使用し、支持機構に屈曲性が求められる場合には前記棒材を挿通しない状態で使用できるようにしたことを特徴とする携帯用ハンガー。
【請求項７】
請求項６に記載の携帯用ハンガーにおいて、前記柔軟材製のパイプ材に代えて長手方向に伸びる中空孔を設けた複数の短長ブロックをベルトの片面に長さ方向に連続して固着させたベルト式支持機構を用い、該ベルト式支持機構に剛性が求められる場合には前記棒材を前記複数の短長ブロックの中空孔に連続挿通した状態で使用し、該ベルト式支持機構に屈曲性が求められる場合には前記棒材を挿通しない状態で使用できるようにしたことを特徴とする携帯用ハンガー。
【請求項８】
請求項１乃至３の何れかに記載の携帯用ハンガーにおいて、前記伸縮可能な支持部材に代えて複数の短長ブロックをベルトの片面の長さ方向に連続して固着させたベルト式支持機構を用い、該短長ブロックにおける前記ベルトとは反対側の面部には隣り合う短長ブロックを解除可能に連結する嵌め合い式の連結機構を設け、
前記ベルト式支持機構に直線状の剛性が求められる場合には前記連結機構により隣り合う短長ブロックを連結してベルト式支持機構に直線状の剛性を持たせ、
該ベルト式支持機構に柔軟性が求められる場合には前記連結機構による隣り合う短長ブロックの連結を解除してベルト式支持機構にベルト側への屈曲柔軟性をもたせられるようにしたことを特徴とする携帯用ハンガー。
【請求項９】
背広、その他の衣類を掛けて携行するために使用する携帯用ハンガーであって、
前記衣類を支持する支持部材と該支持部材を懸吊する懸吊紐と２個のスプリングフックとコードストッパーとから構成され、
前記支持部材は一定長さの剛性又は屈曲柔軟性を有するパイプ材で構成され、
前記懸吊紐は一端が一方のスプリングフックに固定され、他端側は前記パイプ材に挿通させた上で前記コードストッパーの貫通孔、他方のスプリングフックの基部に設けた環状部の順に引き通して折り返し、更に前記コードストッパーの貫通孔に反対側から引き通してあり、前記コードストッパーにより２つのコードストッパー間の懸吊紐の長さを調節できるように構成してあることを特徴とする携帯用ハンガー。
【請求項１０】
背広、その他の衣類を掛けて携行するために使用する携帯用ハンガーであって、
前記衣類を支持する支持部材と該支持部材を懸吊する懸吊紐とスプリングフックとコードストッパーとから構成され、
前記支持部材は一定長さの剛性又は屈曲柔軟性を有するパイプ材で構成され、
前記懸吊紐は一端が前記スプリングフックに固定され、他端側は前記パイプ材に挿通させた上で前記コードストッパーの貫通孔、前記スプリングフックの基部に設けた環状部の順に引き通して折り返し、更に前記コードストッパーの貫通孔に反対側から引き通してあり、前記コードストッパーにより前記懸吊紐の一巡長さを調節できるように構成してあることを特徴とする携帯用ハンガー。
【請求項１１】
背広、その他の衣類を掛けて携行するために使用する携帯用ハンガーであって、
前記衣類を支持する支持部材と該支持部材を懸吊する懸吊紐とスプリングフックとコードストッパーとから構成され、
前記支持部材は一定長さの剛性又は屈曲柔軟性を有するパイプ材で構成され、
前記コードストッパーは前記スプリングフックの基部に設けた環状部を通過できない大きさに形成してあり、
前記懸吊紐は一端側を前記コードストッパーの貫通孔、前記スプリングフックの前記環状部の順に引き通してから前記パイプ材に挿通させ、挿通させた先を更に前記スプリングフックの環状部、前記コードストッパーの貫通孔の順に共に前回とは反対側から引き通してから前記一端側と抜け防止の結び目を設けて繋いであることを特徴とする携帯用ハンガー。
【請求項１２】
背広、その他の衣類を掛けて携行するために使用する携帯用ハンガーであって、
前記衣類を支持する支持部材と該支持部材を懸吊する懸吊紐と２個のスプリングフックとコードストッパーとから構成され、
前記支持部材は一定長さの剛性又は屈曲柔軟性を有するパイプ材で構成され、
前記懸吊紐は一端側を前記コードストッパーの貫通孔、前記第１のスプリングフックの基部に設けた環状部の順に引き通してから前記パイプ材に挿通させ、挿通させた先を更に前記第２のスプリングフックの環状部に通してから前記コードストッパーの貫通孔に前回とは反対側から引き通して前記一端側と抜け防止の結び目を設けて繋いであることを特徴とする携帯用ハンガー。
【考案の詳細な説明】
【技術分野】
【０００１】
本考案は、衣服、タオル等を携行する際にそれらを掛けて鞄やリュック等に吊り下げて使用する携帯用ハンガーに関する。
【背景技術】
【０００２】
ビジネスマンは仕事の性質上、暑い季節でも上着を携行せざるを得ない場合がある。また、ハイキング、山登り等ではシャツ、タオル等を携行する。こうした上着やシャツ等の衣類を手に持ったり腕に掛けたりして歩行するのは煩雑で不便である上、夏には汗が付く心配もある。この問題を解決するために従来より種々の携帯用ハンガーが提案されている。
【０００３】
例えば、特許文献１には棒状体の両端にフックを紐で取り付け、鞄に付いているショルダーベルト取り付け用の一対の環状金具に掛止して使用する背広携帯用ハンガーが開示されている。しかし、このハンガーの場合は鞄に付いているショルダーベルト取り付け用金具に掛止させるための紐の長さが可変できず、衣類支持部材の長さも一定である。そのため特定サイズの鞄にしか適用できない。また、吊り掛け部が一個所しかない鞄やリュックには使用できない問題がある。
【０００４】
また、特許文献２には衣類を支持する衣類支持バーの両端に夫々可撓性の接続部材を設け、両接続部材にバッグの取手に引っ掛けるフックを設けた携帯用ハンガーが開示されている。しかし、この携帯用ハンガーの場合も接続部材の長さが固定のため、取手と衣類支持バーとの間隔を好みに合わせることができず、異なるサイズのバッグには使用しにくい問題がある。
【０００５】
また、特許文献３には背広を半折りにして掛ける横棒を鞄横の蓋の孔部または肩掛けバンド用金具に引っ掛けることにより片手で持ち運べるようにした鞄用携帯ハンガーが開示されている。しかし、この携帯ハンガーは特定形状の鞄にしか適用できず、リュックには使用できない問題がある。
【先行技術文献】
【特許文献】
【０００６】
【特許文献１】実登３０９３１９４号公報
【特許文献２】実登３１００１４８号公報
【特許文献３】実登３０７７１６１号公報
【考案の概要】
【考案が解決しようとする課題】
【０００７】
本考案は、従来技術のこうした問題点を解決するためになされたもので、その課題は、様々な形状の鞄、リュック等に衣服、タオル等を掛けた状態で吊り下げることができ、その吊り下げ長さを自由に調節することのできる携帯用ハンガーを提供することにある。
【課題を解決するための手段】
【０００８】
前記課題を解決するための請求項１に記載の考案は、背広、その他の衣類を掛けて携行するために使用する携帯用ハンガーであって、衣類を支持する支持部材と該支持部材を懸吊する懸吊ベルトと２個のスプリングフックとから構成され、支持部材は径が段階的に大きくなる複数の短パイプをスライド可能に順次大径のパイプに挿入して伸縮可能に形成されて隣り合うパイプの伸長端には伸縮を解除可能にロックするロック機構が設けてあり、懸吊ベルトは支持部材の両端間に長さ調節用金具を使用して長さ可変に張り渡してあり、各スプリングフックは基部に懸吊ベルトを通す環状部を設けて該環状部に懸吊ベルトを通して懸吊ベルトに沿って摺動可能に取り付けてあることを特徴とする携帯用ハンガーである。
【０００９】
このような構成によれば支持部材の長さを掛ける衣類に合わせて調節することができる。また、懸吊ベルトの長さを調節して支持部材の吊り下げ位置を歩行に適した位置に調節できる。更に、２つのスプリングフックを懸吊ベルトに沿って摺動させてその間隔を自由に調節できるため、各種サイズの鞄、リュック等に適用できる。
【００１０】
また、請求項２に記載の発明は、背広、その他の衣類を掛けて携行するために使用する携帯用ハンガーであって、衣類を支持する支持部材と該支持部材の両端に取り付けた２式のスプリングフック付き懸吊ベルトとから構成され、支持部材は径が段階的に大きくなる複数の短パイプをスライド可能に順次大径のパイプに挿入して伸縮可能に形成されて隣り合うパイプの伸長端には伸縮を解除可能にロックするロック機構が設けてあり、スプリングフック付き懸吊ベルトは、一端が支持部材の端に止着され、他端側はスプリングフックの基部に設けた環状部に引き通して折り返し、長さ調節用金具にてベルト長さ可変に懸吊ベルトに止着してあることを特徴とする携帯用ハンガーである。
【００１１】
このような構成によれば支持部材の長さを掛ける衣類に合わせて調節することができる。また、懸吊ベルトの長さを調節して支持部材の吊り下げ位置を歩行に適した位置に調節できる。こうしたことからサイズの異なる各種の鞄、リュックサック等に適用できる利点を有する。
【００１２】
また、請求項３に記載の発明は、請求項２に記載の携帯用ハンガーにおいて、懸吊ベルトに代えて紐を用い、長さ調節用金具に代えてコードストッパーを用いたことを特徴とする携帯用ハンガーである。
【００１３】
このような構成の携帯用ハンガーも請求項３記載の発明と同様の効果を奏する。
【００１４】
また、請求項４に記載の発明は、請求項１乃至３の何れかに記載の携帯用ハンガーにおいて、伸縮可能な支持部材に代えて一定長さの剛性のある棒材又はパイプ材を使用したことを特徴とする携帯用ハンガーである。
【００１５】
支持部材に掛ける衣類の種類が決まっている場合には、このように支持部材を固定長にしても支障はない。
【００１６】
また、請求項５に記載の発明は、請求項４に記載の携帯用ハンガーにおいて、前記棒材又はパイプ材として屈曲可能な柔軟材を使用したことを特徴とする携帯用ハンガーである。
【００１７】
このような構成によれば支持部材を円弧状に曲げて使用することができ、スプリングフックを固定する個所が１つしかない鞄、リュック等にも適用できる。
【００１８】
また、請求項６に記載の発明は、請求項１乃至３の何れかに記載の携帯用ハンガーにおいて、伸縮可能な支持部材に代えて一定長さの屈曲可能な柔軟材製のパイプ材と該パイプ材に略等しい長さでパイプ材の中空孔に挿通可能な剛性のある棒材とからなる支持機構を採用し、該支持機構に剛性が求められる場合には前記棒材をパイプ材の中空孔に挿通した状態で使用し、支持機構に屈曲性が求められる場合には前記棒材を挿通しない状態で使用できるようにしたことを特徴とする携帯用ハンガーである。
【００１９】
このような構成は棒材の挿脱を選択することにより支持機構を屈曲させる場合とさせない場合の２種類の使い方ができ、衣類の種類、吊り掛ける部分の状態により使い分けできる利点を有する。
【００２０】
また、請求項７に記載の発明は、請求項６に記載の携帯用ハンガーにおいて、柔軟材製のパイプ材に代えて長手方向に伸びる中空孔を設けた複数の短長ブロックをベルトの片面に長さ方向に連続して固着させたベルト式支持機構を用い、該ベルト式支持機構に剛性が求められる場合には前記棒材を複数の短長ブロックの中空孔に連続挿通した状態で使用し、該ベルト式支持機構に屈曲性が求められる場合には前記棒材を挿通しない状態で使用できるようにしたことを特徴とする携帯用ハンガーである。
【００２１】
このような構成による場合も棒材の挿脱を選択することにより支持機構を屈曲させる場合とさせない場合の２種類の使い方ができ、衣類の種類、吊り掛ける部分の状態により使い分けできる利点を有する。
【００２２】
また、請求項８に記載の発明は、請求項１乃至３の何れかに記載の携帯用ハンガーにおいて、伸縮可能な支持部材に代えて複数の短長ブロックをベルトの片面の長さ方向に連続して固着させたベルト式支持機構を用い、該短長ブロックにおけるベルトとは反対側の面部には隣り合う短長ブロックを解除可能に連結する嵌め合い式等の連結機構を設け、ベルト式支持機構に直線状の剛性が求められる場合には該連結機構により隣り合う短長ブロックを連結してベルト式支持機構に直線状の剛性を持たせ、該ベルト式支持機構に柔軟性が求められる場合には連結機構による隣り合う短長ブロックの連結を解除してベルト式支持機構にベルト側への屈曲柔軟性をもたせられるようにしたことを特徴とする携帯用ハンガーである。
【００２３】
このような構成によれば、剛性のある棒材を使用することなく衣類の支持機構を屈曲させる場合とさせない場合の２種類の使い方ができ、衣類の種類、吊り掛ける部分の状態により使い分けできる利点を有する。
【００２４】
また、請求項９に記載の発明は、背広、その他の衣類を掛けて携行するために使用する携帯用ハンガーであって、衣類を支持する支持部材と該支持部材を懸吊する懸吊紐と２個のスプリングフックとコードストッパーとから構成され、支持部材は一定長さの剛性又は屈曲柔軟性を有するパイプ材で構成され、懸吊紐は一端が一方のスプリングフックに固定され、他端側はパイプ材に挿通させた上でコードストッパーの貫通孔、他方のスプリングフックの基部に設けた環状部の順に引き通して折り返し、更に前記コードストッパーの貫通孔に反対側から引き通してあり、コードストッパーにより２つのコードストッパー間の懸吊紐の長さを調節できるように構成してあることを特徴とする携帯用ハンガーである。
【００２５】
このような構成によればコードストッパーにより２つのコードストッパー間の懸吊紐３ｃの長さを調節することができ、支持部材の吊り下げ位置を歩行に適した位置に調節できる。このため、サイズの異なる各種鞄、リュック等に適用できる。更に、屈曲柔軟性を有するパイプ材を使用した場合は支持部材を円弧状に曲げて使用することができ、スプリングフックを固定する個所が１つしかない鞄、リュック等にも適用できる。
【００２６】
また、請求項１０に記載の発明は、背広、その他の衣類を掛けて携行するために使用する携帯用ハンガーであって、衣類を支持する支持部材と該支持部材を懸吊する懸吊紐とスプリングフックとコードストッパーとから構成され、支持部材は一定長さの剛性又は屈曲柔軟性を有するパイプ材で構成され、懸吊紐は一端がスプリングフックに固定され、他端側は前記パイプ材に挿通させた上で前記コードストッパーの貫通孔、前記スプリングフックの基部に設けた環状部の順に引き通して折り返し、更に前記コードストッパーの貫通孔に反対側から引き通してあり、前記コードストッパーにより懸吊紐の一巡長さを調節できるように構成してあることを特徴とする携帯用ハンガー。
【００２７】
このような構成によればコードストッパーにより懸吊紐の一巡長さを調節することができ、支持部材の吊り下げ位置を調節できる。このため、サイズの異なる各種鞄、リュック等に適用できる。更に、屈曲柔軟性を有するパイプ材を使用した場合は支持部材を円弧状に曲げて使用することができる。
【００２８】
また、請求項１１に記載の発明は、背広、その他の衣類を掛けて携行するために使用する携帯用ハンガーであって、衣類を支持する支持部材と該支持部材を懸吊する懸吊紐とスプリングフックとコードストッパーとから構成され、支持部材は一定長さの剛性又は屈曲柔軟性を有するパイプ材で構成され、コードストッパーはスプリングフックの基部に設けた環状部を通過できない大きさに形成してあり、懸吊紐は一端側をコードストッパーの貫通孔、スプリングフックの前記環状部の順に引き通してからパイプ材に挿通させ、挿通させた先を更にスプリングフックの環状部、コードストッパーの貫通孔の順に共に前回とは反対側から引き通してから前記一端側と抜け防止の結び目を設けて繋いであることを特徴とする携帯用ハンガーである。
【００２９】
このような構成によれば１個のコードストッパーの駐止位置を調整するだけで懸吊紐の一巡長さを調節することができ、支持部材の吊り下げ位置を簡単に調節することができる。このためサイズの異なる各種鞄、リュック等に適用できる。更に、屈曲柔軟性を有するパイプ材を使用した場合は支持部材を円弧状に曲げて使用することができる。
【００３０】
また、請求項１２に記載の発明は、背広、その他の衣類を掛けて携行するために使用する携帯用ハンガーであって、衣類を支持する支持部材と該支持部材を懸吊する懸吊紐と２個のスプリングフックとコードストッパーとから構成され、支持部材は一定長さの剛性又は屈曲柔軟性を有するパイプ材で構成され、懸吊紐は一端側をコードストッパーの貫通孔、第１のスプリングフックの基部に設けた環状部の順に引き通してからパイプ材に挿通させ、挿通させた先を更に第２のスプリングフックの環状部に通してから前記コードストッパーの貫通孔に前回とは反対側から引き通して前記一端側と抜け防止の結び目を設けて繋いであることを特徴とする携帯用ハンガーである。
【００３１】
このような構成によれば１個のコードストッパーの駐止位置を調整するだけで懸吊紐の一巡長さを調節することができ、支持部材の吊り下げ位置を歩行に適した位置に簡単に調節することができる。このためサイズの異なる各種鞄、リュック等に適用できる。更に、屈曲柔軟性を有するパイプ材を使用した場合は支持部材を円弧状に曲げて使用することができ、スプリングフックを掛ける個所が１つしかない鞄、リュック等にも２個のスプリングフックを同じ個所に掛けることにより適用できる。
【図面の簡単な説明】
【００３２】
【図１】第１の実施形態に係る携帯用ハンガー１の外観図である。
【図２】図１のＡ−Ａ断面図である。
【図３】長さ調節用金具１７の外観図及び取り付け状態の断面図である。
【図４】携帯用ハンガー１の鞄２３への取り付け状態図である。
【図５】第２の実施形態に係る携帯用ハンガー１ａの外観図である。
【図６】携帯用ハンガー１ａの鞄２３への取り付け状態図である。
【図７】第３の実施形態に係る携帯用ハンガー１ｂの外観図である。
【図８】コードストッパ−３１の縦断面図である。
【図９】第４の実施形態に係る携帯用ハンガー１ｃの外観図である。
【図１０】第５の実施形態に係る携帯用ハンガー１ｄの外観図である。
【図１１】第６の実施形態に係る携帯用ハンガー１ｅの外観図である。
【図１２】携帯用ハンガー１ｅをリュック３５に吊り下げた例である。
【図１３】第７の実施形態に係る携帯用ハンガー１ｆの外観図である。
【図１４】第８の実施形態に係る携帯用ハンガー１ｇの外観図である。
【図１５】第８の実施形態に係る携帯用ハンガー１ｇの別の外観図である。
【図１６】第９の実施形態に係る携帯用ハンガー１ｈの外観図である。
【図１７】第９の実施形態に係る携帯用ハンガー１ｈの別の外観図である。
【図１８】第１０の実施形態に係る携帯用ハンガー１ｊの外観図である。
【図１９】第１１の実施形態に係る携帯用ハンガー１ｋの外観図である。
【図２０】第１２の実施形態に係る携帯用ハンガー１ｍの外観図である。
【図２１】第１３の実施形態に係る携帯用ハンガー１ｎの外観図である。
【考案を実施するための形態】
【００３３】
以下、本考案に係る携帯用ハンガーの構成と使用方法を実施形態に分けて説明する。
（第１の実施形態）
図１は、第１の実施形態に係る携帯用ハンガー１の外観図である。本携帯用ハンガー１は背広、その他の衣類を掛けて携行するために使用する携帯用ハンガーであって、携行する衣類を掛ける支持部材２と、その支持部材２を懸吊する懸吊ベルト３と、２個のスプリングフック４を備えて構成されている。
【００３４】
支持部材２は、径が段階的に大きくなる複数（図では２本）の短パイプ６をスライド可能に順次大径のパイプに挿入して伸縮可能に構成されている。図２は図１のＡ−Ａ断面図である。図２に示すように各パイプ６の左右側面には長手方向に伸びる凹状レール７が形成されており、互いにスライドするパイプ６はこの凹状レール７に係合して回り止めされている。
【００３５】
また、隣り合うパイプ６の伸長端には伸縮を解除可能にロックするクリック機構からなるロック機構８が設けてある。ロック機構８は図２に示すように小径のパイプ６の基端部側に形成された小孔１０と、パイプ６内に設けられ小孔１０から出没可能な突起１１と、突起１１を突出方向に付勢するスプリング１２と、突起１１に設けられ小孔１０からの抜けを阻止する鍔１３とからなる。大径のパイプ６の先端部側には突起１１が係入する係入孔１４が設けてある。
【００３６】
支持部材２の伸長時には、突起１１がスプリング１２の付勢力によって突出して係入孔１４に係入してロックされる。縮小時にはパイプ６を所定以上の力で押すことにより突起１１が大径のパイプ６の内面に押圧されてスプリング１２の付勢力に抗して没入する。これによりパイプ６のスライドが可能になる。
【００３７】
支持部材２の両端間には、懸吊ベルト３は張り渡されている。懸吊ベルト３は、長さ調節用金具１７を使用してベルト長さを可変できるようにしてある。図３の（１）は一例としての長さ調節用金具１７の外観図である。長方形板１８に２個の四角穴１９を設けたもので、バンドを使用した荷締めに広く使用されているものである。図３の（２）は、その長さ調節用金具１７にて左右のベルトを繋いだ状態のベルト長さ方向断面図である。２個のスプリングフック４は基部に環状部１６が設けてあり、その環状部１６に懸吊ベルト３を引き通して懸吊ベルト３に沿って摺動可能に取り付けてある。
【００３８】
図４は、携帯用ハンガー１を鞄２３に取り付けた状態を示している。取り付けに際しては、最初に支持部材２の長さを衣類２２を掛け易い長さにパイプ６を伸縮スライドさせて調節する。次に、鞄２３とグリップ２４を繋ぐ２つの環状金具２５に２つのスプリングフック４を掛止させ、携帯用ハンガー１を吊り下げる。続いて長さ調節用金具１７にて懸吊ベルト３の長さを調節し、支持部材２の位置を携行に適した吊り下げ位置に調節する。この状態で衣類２２を支持部材２に掛けて携行する。
【００３９】
本実施形態の携帯用ハンガー１は、次のような利点を有する。第１点として支持部材２が伸縮スライド式に構成してあるため掛ける衣類２２に合わせて長さを調節することができる。第２点として懸吊ベルト３の長さを長さ調節用金具１７にて調節できるため、支持部材２の吊り下げ位置を歩行に適した位置に調節できる。第３点として２つのスプリングフック４は懸吊ベルト３に沿って摺動させることでその間隔を自由に調節できる。このため鞄２３とグリップ２４を繋ぐ２つの環状金具２５の間隔が異なる各種鞄にも容易に適用できる。
【００４０】
（第２の実施形態）
図５は、第２の実施形態に係る携帯用ハンガー１ａの外観図である。本携帯用ハンガー１１ａは、第１の実施形態に係る携帯用ハンガー１に使用したものと同じ伸縮式の支持部材２の両端にスプリングフック付き懸吊ベルト２９を個別に取り付けたものである。各スプリングフック付き懸吊ベルト２９は、スプリングフック４、懸吊ベルト３ａ、長さ調節用金具１７により構成してある。
【００４１】
懸吊ベルト３ａの一端は支持部材２の端に止着されており、他端側はスプリングフック４の基部に設けた環状部３２に引き通して折り返し、長さ調節用金具１７にてベルト長さ可変に懸吊ベルト３ａに止着してある。
【００４２】
図６は、携帯用ハンガー１ａを鞄２３に取り付けた状態を示している。取り付けに際しては、最初に支持部材２の長さを衣類２２を掛け易い長さにパイプ６を伸縮スライドさせて調節する。次に、各スプリングフック付き懸吊ベルト２９のスプリングフック４を鞄２３とグリップ２４を繋ぐ２の環状金具２５に掛止させ、携帯用ハンガー１を吊り下げる。続いて長さ調節用金具１７にて各懸吊ベルト３ａの長さを調節し、支持部材２を携行に適した吊り下げ位置に調節する。この状態で衣類２２を支持部材２に掛けて携行する。
【００４３】
本実施形態の携帯用ハンガー１ａは、次のような利点を有する。第１点として支持部材２が伸縮スライド式に構成してあるため掛ける衣類２２に合わせて長さを調節することができる。第２点として懸吊ベルト３ａの長さは長さ調節用金具１７にて調節できるため、支持部材２の吊り下げ位置を歩行に適した位置に調節できる。このため鞄２３とグリップ２４を繋ぐ２つの環状金具２５の間隔が異なる各種鞄にも容易に適用できる。
【００４４】
（第３の実施形態）
図７は、第３の実施形態に係る携帯用ハンガー１ｂの外観図である。本携帯用ハンガー１ｂは、第２の実施形態に係る携帯用ハンガー１ａにおける懸吊ベルト３ａの代わりに懸吊紐３ｂを、長さ調節用金具１７の代わりにコードストッパ−３１を使用したものである。
【００４５】
図８は、一例としてのコードストッパ−３１の縦断面図である。コードストッパ−３１は外形が略円柱状をしており、シリンダ体３７とピストン体３８とコイルスプリング３９の３部品から構成されている。シリンダ体３７は有底円筒状をなしており、開口端側からは円柱状のピストン体３８が頂部３８ａを開口端から突出させた状態で挿入されている。コイルスプリング３９はシリンダ体３７の内底面とピストン体３８の底面との間に内装してあり、ピストン体３８をシリンダ体３７の開口端方向に向けて付勢している。
【００４６】
シリンダ体３７の側周部には、２本の懸吊紐３０を軸と直角方向に挿通させる挿通孔３７ａが穿設してある。ピストン体３８の円柱部にも２本の懸吊紐３０を軸と直角方向に挿通させる挿通孔３８ｂが穿設してある。ピストン体３８の頂部３８ａをコイルスプリング３９の付勢力に抗して押圧してピストン体３８を押し込み、シリンダ体３７の挿通孔３７ａとピストン体３８の挿通孔３８ｂとを合致させ、その状態で２本の懸吊紐３０を挿通させる。
【００４７】
この状態でスプリングフック４と支持部材２との間の紐の長さを調節して頂部３８ａの押圧を止めると、ピストン体３８はコイルスプリング３９の付勢力によりシリンダ体３７の開口端側に移動する。移動により２本の懸吊紐３０はシリンダ体３７の挿通孔３７ａとピストン体３８の挿通孔３８ｂの開口部とにより圧接されて締め付け固定させる。これによりコードストッパ−３１は駐止した位置に固定されて動かなくなり、スプリングフック４と支持部材２との間の紐の長さは調節した長さに固定される。
【００４８】
本実施形態の携帯用ハンガー１ｂは、第２の実施形態に係る携帯用ハンガー１ａと同様の使い方をすることができ、同様の効果を奏する。
【００４９】
（第４の実施形態）
図９は、第４の実施形態に係る携帯用ハンガー１ｃの外観図である。本携帯用ハンガー１ｃは、第１の実施形態に係る携帯用ハンガー１における伸縮可能な支持部材２に代えて、一定長さの剛性のある棒材又はパイプ材からなる支持部材２ａを使用したものである。支持部材２ａに掛ける衣服の種類が決まっている場合には、このように固定長にしても支障はない。
【００５０】
（第５の実施形態）
図１０は、第５の実施形態に係る携帯用ハンガー１ｄの外観図である。本携帯用ハンガー１ｄは、第２の実施形態に係る携帯用ハンガー１ａにおける伸縮可能な支持部材２に代えて一定長さの剛性のある棒材又はパイプ材からなる支持部材２ａを使用したものである。２個のスプリングフック４を吊り掛ける相手である鞄等が決まっている場合には、このように固定長でも支障はない。
【００５１】
なお、第３の実施形態に係る携帯用ハンガー１ｂのように懸吊ベルト３ａの代わりに懸吊紐３０を、長さ調節用金具１７の代わりにコードストッパ−３１を使用してもよい。
【００５２】
（第６の実施形態）
図１１は、第６の実施形態に係る携帯用ハンガー１ｅの外観図である。本携帯用ハンガー１ｅは、第５の実施形態に係る携帯用ハンガー１ｄにおける剛性のある支持部材２ａに代えて、屈曲柔軟性のある合成樹脂、ゴム等の棒材又はパイプ材からなる支持部材２ｂを使用したものである。
【００５３】
本携帯用ハンガー１ｅは、支持部材２ｂを円弧状に曲げて使用することができ、吊り掛け部分が１つしかない鞄、リュック等に吊り下げるのに便利である。図１２は、リュック３５に吊り下げた例である。円弧状に曲げた支持部材２ｂに衣類、タオル等を掛けて携行する。
【００５４】
（第７の実施形態）
図１３の（１）は、第７の実施形態に係る携帯用ハンガー１ｆの外観図である。本携帯用ハンガー１ｆの支持機構２ｃは、屈曲柔軟性のあるパイプ４１の中空孔４３に図１３の（２）に示すような剛性のある棒材４２を挿脱可能に差し込む構成にしてある。棒材４２を差し込んだ状態では支持機構２ｃは屈曲しないため第５の実施形態に係る携帯用ハンガー１ｄと同様に機能する。
【００５５】
反対に棒材４２を引き抜いた状態では、パイプ４１は屈曲して第６の実施形態に係る携帯用ハンガー１ｅと同様に機能する。即ち、本実施形態の携帯用ハンガー１ｆは、棒材４２の挿脱を選択することにより２種類の使い方ができる利点を有する。
【００５６】
（第８の実施形態）
図１４は、第８の実施形態に係る携帯用ハンガー１ｇの外観図である。本携帯用ハンガー１ｇは、第７の実施形態に係る携帯用ハンガー１ｆと同様に、支持機構２ｄを剛性のある棒と屈曲可能な棒の２種類に使い分けできるようにした携帯用ハンガーである。構成上の相違点は、屈曲柔軟性のあるパイプ４１に代えて図１５の（１）に示すように、長手方向に伸びる中空孔５０を設けた断面矩形の複数（図では５個）の短長ブロック５１を柔軟なベルト５２の片面に連続して固着させたベルト式支持機構５３を採用している点にある。
【００５７】
ベルト式支持機構５３に剛性が求められる場合には、図１５の（２）に示す剛性のある棒材５４を短長ブロック５１の中空孔５０に連続挿通して屈曲しないようにする。反対にベルト式支持機構５３に屈曲性が求められる場合には、棒材５４を挿通しない状態で使用する。このように本実施形態の携帯用ハンガー１ｇは棒材５４の挿脱を選択することにより２種類の使い方ができる利点を有する。
【００５８】
（第９の実施形態）
本実施形態の携帯用ハンガー１ｈは、第８の実施形態に係る携帯用ハンガー１ｇのように剛性のある棒材５４を使用せずに、剛体棒と屈曲可能な棒の２種類に使い分けできる衣類支持機構６０を採用している点に特徴がある。図１６の（１）は支持機構６０を剛体棒状にした状態の側面図、図１６の（２）はその底面図、図１７は支持機構６０を屈曲可能な状態にした場合の側面図である。
【００５９】
支持機構６０は、複数の短長ブロック６１を柔軟なベルト５２の片面に連続して固着させ、短長ブロック６１におけるベルト５２とは反対側の面部に隣り合う短長ブロック６１を解除可能に連結する嵌め合い式の連結機構６２を設けたものである。支持機構６０に直線状の剛性が求められる場合には、その連結機構６２により隣り合う短長ブロック６１を連結して直線状の剛性を持たせる。反対に、支持機構６０に柔軟制が求められる場合には、連結機構６２による隣り合う短長ブロック６１の連結を解除して支持機構６０にベルト５２側への屈曲柔軟性をもたせる。
【００６０】
本実施形態の携帯用ハンガー１ｈは剛性ある棒材を必要とせず、隣り合う短長ブロック６１間に設けた連結機構６２による連結と解除を選択することにより２種類の使い方ができる利点を有する。
【００６１】
（第１０の実施形態）
図１８は、第１０の実施形態に係る携帯用ハンガー１ｊの外観図である。本携帯用ハンガー１ｊは衣類を掛ける支持部材２ｅと、その支持部材２ｅを懸吊する懸吊紐３ｃと、２個のスプリングフック４と、１個のコードストッパー３１とを備えて構成されている。
【００６２】
支持部材２ｅは一定長さの剛性又は屈曲柔軟性を有するパイプ材で構成されている。懸吊紐３ｃの一端は一方のスプリングフック４の基部に設けた環状部１６に固定されている。他端側は支持部材２ｅであるパイプ材に挿通させ、パイプ材から出た端をコードストッパー３１の貫通孔に挿通してから他方のスプリングフック４の基部に設けた環状部１６に引き通して折り返し、折り返した端を更にコードストッパー４の貫通孔に反対側から引き通してある。
【００６３】
このような構成によればコードストッパー４により２つのコードストッパー４間の懸吊紐３ｃの長さを調節することができる。これにより支持部材２ｅの吊り下げ位置を歩行に適した位置に調節できる。また、支持部材２ｅとして屈曲柔軟性を有するパイプ材を使用した場合は支持部材２ｅを円弧状に曲げて使用することができ、スプリングフック４を固定する個所が１つしかない鞄、リュック等にも適用できる。
【００６４】
なお、懸吊紐３ｃの代わりに図５に示したような懸吊ベルト３ａを用い、コードストッパー４の代わりに図３に示したような長さ調節用金具１７を用いてもよい。
【００６５】
（第１１の実施形態）
図１９は、第１１の実施形態に係る携帯用ハンガー１ｋの外観図である。本携帯用ハンガー１ｋは衣類を掛ける支持部材２ｅと、その支持部材２ｅを懸吊する懸吊紐３ｃと、１個のスプリングフック４と、１個のコードストッパー３１とを備えて構成されている。
【００６６】
支持部材２ｅは一定長さの剛性又は屈曲柔軟性を有するパイプ材で構成されている。懸吊紐３ｃの一端はスプリングフック４の基部に設けた環状部１６に固定されている。他端側は支持部材２ｅであるパイプ材に挿通させ、パイプ材から出た端をコードストッパー３１の貫通孔に挿通してからスプリングフック４の基部に設けた環状部１６に引き通して折り返し、折り返した端を更にコードストッパー４の貫通孔に反対側から引き通してある。
【００６７】
このような構成によればコードストッパー４により懸吊紐３ｃの一巡長さを調節することができる。これにより支持部材２ｅの吊り下げ位置を携行に適した位置に調節できる。また、支持部材２ｅとして屈曲柔軟性を有するパイプ材を使用した場合は支持部材２ｅを円弧状に曲げて使用することができる。
【００６８】
なお、懸吊紐３ｃの代わりに図５に示したような懸吊ベルト３ａを用い、コードストッパー４の代わりに図３に示したような長さ調節用金具１７を用いてもよい。
【００６９】
（第１２の実施形態）
図２０は、第１２の実施形態に係る携帯用ハンガー１ｍの外観図である。本携帯用ハンガー１ｍは衣類を掛ける支持部材２ｅと、その支持部材２ｅを懸吊する懸吊紐３ｃと、１個のスプリングフック４と、１個のコードストッパー３１とを備えて構成されている。
【００７０】
支持部材２ｅは一定長さの剛性又は屈曲柔軟性を有するパイプ材で構成されている。懸吊紐３ｃは一端側をコードストッパー３１の貫通孔、スプリングフック４の基部に設けた環状部１６の順に引き通してから支持部材２ｅのパイプ材に挿通させてある。そして、挿通させた先をスプリングフック４の環状部に前回とは反対側から引き通し、更にコードストッパー３１の貫通孔に前回とは反対側から引き通してから懸吊紐３ｃの前記一端側と結び目６５を設けて繋いである。結び目６５は懸吊紐３ｃの端がコードストッパー３１の貫通孔から抜けるのを防止するためのものであり、代わりにビーズ、とんぼ玉のような孔のあいた玉を取り付けてもよい。コードストッパー３１には、スプリングフック４の基部に設けた環状部１６を通過できない大きさのものが使用してある。
【００７１】
このような構成によれば１個のコードストッパー３１の駐止位置を調整するだけで懸吊紐３ｃの一巡長さを調節することができ、支持部材３ｃの吊り下げ位置を簡単に調節することができる。このためサイズの異なる各種鞄、リュック等に適用できる。更に、屈曲柔軟性を有するパイプ材を使用した場合は支持部材を円弧状に曲げて使用することができる。
【００７２】
（第１３の実施形態）
図２１は、第１３の実施形態に係る携帯用ハンガー１ｎの外観図である。本携帯用ハンガー１ｎは衣類を掛ける支持部材２ｅと、その支持部材２ｅを懸吊する懸吊紐３ｃと、２個のスプリングフック４ａ、４ｂと、１個のコードストッパー３１とを備えて構成されている。
【００７３】
支持部材２ｅは一定長さの剛性又は屈曲柔軟性を有するパイプ材で構成されている。懸吊紐３ｃは一端側をコードストッパー３１の貫通孔、第１のスプリングフック４ａの基部に設けた環状部１６の順に引き通してから支持部材２ｅのパイプ材に挿通させてある。そして、挿通させた先を更に第２のスプリングフック４ｂの環状部１６に通してからコードストッパー３１の貫通孔に前回とは反対側から引き通して前記一端側と結び目６５を設けて繋いである。結び目６５は懸吊紐３ｃの端がコードストッパー３１の貫通孔から抜けるのを防止するためのものであり、代わりにビーズ、とんぼ玉のような孔のあいた玉を取り付けてもよい。
【００７４】
このような構成によれば１個のコードストッパー３１の駐止位置を調整するだけで懸吊紐３ｃの一巡長さを調節することができ、支持部材３ｃの吊り下げ位置を歩行に適した位置に簡単に調節することができる。このためサイズの異なる各種鞄、リュック等に適用できる。更に、屈曲柔軟性を有するパイプ材を使用した場合は支持部材３ｃを円弧状に曲げて使用することができ、スプリングフックを掛ける個所が１つしかない鞄、リュック等にも２個のスプリングフック４ａ、４ｂを同じ個所に掛けることにより適用できる。
【符号の説明】
【００７５】
図面中、１、１ａ、１ｂ、１ｃ、１ｄ、１ｅ、１ｆ、１ｇ、１ｈ、１ｊ、１ｋ、１ｍ、１ｎは携帯用ハンガー、２、２ａ、２ｂ、２ｅは支持部材、２ｃは支持機構、２ｄはベルト式支持機構、３、３ａは懸吊ベルト、３ｂ、３ｃは懸吊紐、４、４ａ、４ｂはスプリングフック、８はロック機構、１６は環状部、１７は長さ調節用金具、２９はスプリングフック付き懸吊ベルト、３１はコードストッパー、４２、５４は棒材、４３、５０は中空孔、５１、６１は短長ブロック、５２はベルト、６０はベルト式支持機構、６２は連結機構を示す。
【図１】
0003149906.tif 000003
【図２】
0003149906.tif 000004
【図３】
0003149906.tif 000005
【図４】
0003149906.tif 000006
【図５】
0003149906.tif 000007
【図６】
0003149906.tif 000008
【図７】
0003149906.tif 000009
【図８】
0003149906.tif 000010
【図９】
0003149906.tif 000011
【図１０】
0003149906.tif 000012
【図１１】
0003149906.tif 000013
【図１２】
0003149906.tif 000014
【図１３】
0003149906.tif 000015
【図１４】
0003149906.tif 000016
【図１５】
0003149906.tif 000017
【図１６】
0003149906.tif 000018
【図１７】
0003149906.tif 000019
【図１８】
0003149906.tif 000020
【図１９】
0003149906.tif 000021
【図２０】
0003149906.tif 000022
【図２１】
0003149906.tif 000023